(57)【特許請求の範囲】
【請求項１】
顧客が希望する睫毛の状態を実現するマスカラを選定するマスカラの選定システムであって、
マスカラを塗布する前の睫毛及びマスカラを塗布した後の睫毛を撮像することが可能な撮像装置と、
前記撮像装置により撮像された睫毛の画像に基づいて、撮像された睫毛の状態を定量的に測定する測定手段と、
マスカラ毎に、前記マスカラを塗布する前の睫毛の状態と、前記マスカラを塗布した後の睫毛の状態を関連付けたマスカラ情報が格納されたデータベースと、
前記顧客が希望する睫毛の状態を入力する入力装置と、
前記測定手段により得られたマスカラを塗布する前の前記顧客の睫毛の状態と、前記入力装置から入力された前記顧客が希望する睫毛の状態に基づいて、前記データベースからマスカラを検索する検索手段と、
少なくとも、前記撮像装置により撮像された顧客の睫毛の画像及び前記検索手段により検索されたマスカラを表示する表示手段を具備することを特徴とするマスカラの選定システム。
【請求項２】
前記測定手段により得られたマスカラを塗布する前の前記顧客の睫毛の状態を、所定の体系に従って分類する分類手段をさらに具備し、
前記マスカラ情報は、前記分類手段により分類されるマスカラを塗布する前の睫毛の状態毎に、マスカラと、前記マスカラを塗布した後の睫毛の状態を関連付けた情報であることを特徴とする請求項１に記載のマスカラの選定システム。
【請求項３】
前記マスカラ情報がマスカラカウンセリングシートとして用意されていることを特徴とする請求項２に記載のマスカラの選定システム。
【発明の詳細な説明】
【０００１】
【発明の属する技術分野】
【０００２】
本発明は、マスカラの選定システムに係り、特に店頭にて顧客に対して販売員がカウンセリングを行いながらマスカラの選定を行うのに好適なマスカラの選定システムに関する。
【従来の技術】
【０００３】
例えば、顧客がマスカラを購入する際、店頭にて販売員からカウンセリングを受けながら購入するマスカラを決定する形態（いわゆる、対面選定）がある。この場合、販売員は顧客から希望する睫毛の状態を聞き、顧客の希望に対応したマスカラを選定し販売することが行われている。
【０００４】
ところで、マスカラの使用性は、素睫毛の状態（睫毛が濃い、薄い、長い、短い等）に非常に影響される。よって、販売員が顧客の素睫毛の状態を正確に判断していないと、顧客が満足するマスカラを的確に選定することができない可能性がある。特に、顧客の希望を最優先してマスカラを選定するとき、必ずしも顧客が満足するマスカラを的確に選定することができるとは限らない。
【０００５】
しかしながら、従来では顧客の素睫毛の状態を調べることは行われておらず、よって顧客の素睫毛の状態を考慮した上でのマスカラ選定は行われていなかった。このため、的確なマスカラの選定が行なえず、顧客が満足するマスカラを的確に選定することができない場合があるという問題点があった。
【０００６】
また、販売員が顧客の素睫毛の状態と顧客の希望に基づきマスカラを選定する際、販売員が全てのマスカラの特徴を記憶することは困難であり、またマスカラの特徴を示すマニュアルが存在するものの、マニュアルを参照しつつマスカラを選定するのは煩雑であり、迅速にマスカラの選定を行うことができないという問題点もあった。
【発明が解決しようとする課題】
【０００７】
本発明は上記の点に鑑みてなされたものであり、顧客が満足するマスカラを的確かつ迅速に選定しうるマスカラの選定システムを提供することを目的とする。
【０００８】
この目的を達成するため、本発明に係るマスカラの選定システムは、顧客が希望する睫毛の状態を実現するマスカラを選定するマスカラの選定システムであって、マスカラを塗布する前の睫毛及びマスカラを塗布した後の睫毛を撮像することが可能な撮像装置と、前記撮像装置により撮像された睫毛の画像に基づいて、撮像された睫毛の状態を定量的に測定する測定手段と、マスカラ毎に、前記マスカラを塗布する前の睫毛の状態と、前記マスカラを塗布した後の睫毛の状態を関連付けたマスカラ情報が格納されたデータベースと、前記顧客が希望する睫毛の状態を入力する入力装置と、前記測定手段により得られたマスカラを塗布する前の前記顧客の睫毛の状態と、前記入力装置から入力された前記顧客が希望する睫毛の状態に基づいて、前記データベースからマスカラを検索する検索手段と、少なくとも、前記撮像装置により撮像された顧客の睫毛の画像及び前記検索手段により検索されたマスカラを表示する表示手段を具備することを特徴とする。
【０００９】
上記の発明によれば、睫毛状態を測定する際、撮像装置により撮像された睫毛の画像に基づき睫毛状態を定量的に測定するため、マスカラを選定する際、顧客の睫毛状態を正確に評価することが可能となり、顧客の睫毛状態に適し、かつ顧客の希望を満たして顧客が満足を得ることができる睫毛状態を実現できるマスカラを的確に選定することができる。
【００１０】
また、データベースには、マスカラ毎に塗布前の睫毛状態と、塗布後の睫毛状態とを関連付けたマスカラ情報が格納されているため、検索手段により顧客の希望に対応したマスカラを選定する際、測定手段により得られたマスカラ塗布前の顧客の睫毛状態と、入力装置から入力された顧客の希望する睫毛状態とにより、容易かつ迅速に顧客の希望に対応したマスカラを選定することができる。
【００１１】
更に、表示手段は、少なくとも撮像装置により撮像された顧客の睫毛の画像、および前記検索手段により検索されたマスカラを表示するため、顧客は表示手段を見ながら、マスカラの選定を行うことができる。
【００１２】
また、本発明に係るマスカラの選定システムは、上記のマスカラの選定システムにおいて、前記測定手段により得られたマスカラを塗布する前の前記顧客の睫毛の状態を、所定の体系に従って分類する分類手段をさらに具備し、前記マスカラ情報は、前記分類手段により分類されるマスカラを塗布する前の睫毛の状態毎に、マスカラと、前記マスカラを塗布した後の睫毛の状態を関連付けた情報であることを特徴とする。
【００１３】
上記の発明によれば、マスカラを塗布する前の顧客の睫毛状態が分類手段により所定の体系に従って分類され、またデータベースはマスカラ情報を分類結果毎にマスカラと塗布後の睫毛状態とを関連付けた情報として格納するため、検索手段により顧客の希望に対応したマスカラを選定する処理を簡単に行うことが可能となる。
【００１４】
また、本発明に係るマスカラの選定システムは、上記のマスカラの選定システムにおいて、前記マスカラ情報がマスカラカウンセリングシートとして用意されていることを特徴とする。
【００１５】
上記の発明によれば、マスカラカウンセリングシートを用いて、顧客が自身の素睫毛状態に対して示された複数の所定のマスカラを塗布したときの睫毛状態のパターンのなかから自身が希望する睫毛状態を得ることがマスカラを選択することにより、簡易な手順で、顧客の睫毛状態に適し、かつ顧客が満足する睫毛状態を実現できるマスカラを選定することができる。
【発明の実施の形態】
【００２４】
本発明の実施の形態について図面と共に説明する。
【００２５】
図１は、発明の一実施例（以下、第１実施例という。）であるマスカラのマスカラ選定システムを示すハードウエア構成図である。このマスカラ選定システムは、例えば百貨店の化粧品販売コーナー等に設置され、顧客１に対してマスカラを販売する際に用いられるものである。
【００２６】
同図に示すように、マスカラ選定システムは、中央処理装置１１，入力装置１２，表示装置１３，記憶装置１４，画像処理装置１５，およびカメラ１６等により構成されている。記憶装置１４には、後述する各種処理プログラムが格納されており、中央処理装置１１はこの処理プログラムを実行することによりマスカラの選定に必要な各種処理を実行する。また中央処理装置１１は、接続された入力装置１２，表示装置１３，記憶装置１４，画像処理装置１５，およびカメラ１６を統括的に制御する。
【００２７】
入力装置１２は例えばキーボードであり、選定処理に必要な各種データを入力処理するのに用いられる。表示装置１３は例えばＣＲＴであり、選定処理を実施することにより得られたマスカラの選定結果、カメラ１６により撮像された顧客１の睫毛２の画像等を表示する。
【００２８】
また、記憶装置１４は、前記した各種処理プログラムが格納されると共に、後述するマスカラデータを格納するマスカラ情報データベース１４Ａ，サンプル情報を格納するサンプル情報データベース１４Ｂ，および個人情報を格納する個人情報データベース１４Ｃを有している。尚、以下の説明において、データベースをＤＢと略称するものとする。
【００２９】
また、カメラ１６は、顧客１の睫毛状態を撮像しうる構成とされている。このカメラ１６で撮像された顧客１の睫毛状態の画像は、画像処理装置１５において画像処理される。具体的には、カメラ１６で撮像された画像は、睫毛２が画像処理装置１５において２値化された画像とされる。尚、図１には図示していないが、選定結果を印字するプリンターの出力手段を設ける構成としてもよい。
【００３０】
続いて、上記システム構成とされたマスカラ選定システムのマスカラ選定処理について説明する。
【００３１】
マスカラ選定システムが起動されると、中央処理装置１１は記憶装置１４に格納されているマスカラの選定処理を行うメインプログラムを実行する。図２は、マスカラの選定処理を行うメインプログラムを示すフローチャートである。
【００３２】
同図に示すメインプログラムが起動すると、先ずステップ１０（図では、ステップをＳと略称している）において、顧客１の睫毛２に対し、マスカラを塗布する前の睫毛状態の測定を実施すると共に、測定結果に基づき顧客１の睫毛２の分類処理を実施する（第１の測定手順）。
【００３３】
図３は、ステップ１０で実施される睫毛状態の定量的測定の具体的な処理を示している。この図３に示す睫毛状態の定量的測定処理は、サブプログラムとして記憶装置１４に格納されており、ステップ１０の処理において呼び出され実行されるものである。
【００３４】
図３に示す睫毛状態の定量的測定が起動すると、先ずステップ２０において、顧客１の睫毛２の画像入力処理が実施される。この画像入力処理では、中央処理装置１１はカメラ１６を起動させ、顧客１の睫毛２を撮像する。この際、カメラ１６は睫毛２の全体を平面視した状態に撮像する。また、第１実施例では測定項目から外しているが、睫毛２のカール角度（図１に矢印θで示す角度）を求める場合には、睫毛２を側面視した状態の撮像も行う。
【００３５】
続くステップ２１では、カメラ１６により撮像された撮像画面が画像処理装置１５に送られ、画像処理が行なわれる。具体的には、撮像された睫毛２の撮像画像２値化され、また必要に応じて平滑処理やノイズの除去処理が実施される。図９は、２値化された睫毛２の画像（２値画像）を示している。
【００３６】
ステップ２１の処理が終了し、睫毛２の２値画像が生成されると、続いてステップ２２において、睫毛２の全面積を演算する処理が実施される。この全面積を演算する処理は、睫毛２の２値画像において、黒となっているピクセル数（画素数）を求め、これに１ピクセルに対応する面積を乗算することにより求める。
【００３７】
ステップ２２において睫毛２の全面積を演算されると、続くステップ２３では、睫毛２の２値画像からライン画像の抽出処理を行う。図１１は、ライン画像の抽出処理を説明するための図である。
【００３８】
図１１（Ａ）に示すように、第１実施例では睫毛２の２値画像において、睫毛２の延出方向と直交する方向にライン状の撮像領域を抽出する。図１１（Ｂ）は、抽出されたライン状画像を示している。同図に示す例では、生え際から１１５〜１０７ピクセルの間のライン状画像を抽出した例を示している。
【００３９】
上記のようにステップ２３でライン状画像の抽出処理が行われると、続いてこのライン状画像を解析することによりステップ２４で睫毛２の本数が演算される。この睫毛２の本数は、図１１（Ｂ）に示すライン状画像を例えば同図中矢印Ｘ方向にトレースし、ピクセルが白から黒に切り替わる位置の個数により求めることができる。
【００４０】
続くステップ２５では、同じくステップ２３で抽出されたライン状画像を解析することにより、睫毛２の太さ（睫毛１本の平均幅）が演算される。具体的な演算方法としては、先ず図１１（Ｂ）に示すライン状画像の黒のピクセル数を数え、これに１ピクセルの面積を乗算することによりライン状画像内における睫毛２の面積を求める。
【００４１】
次に、求められた面積をステップ２４で求められた睫毛２の本数で除算する。これにより、１本の睫毛２の平均面積が求められる。前記したように、第１実施例ではライン状画像の厚さが８ピクセル（１１５ピクセル−１０７ピクセル＝８ピクセル）である。このため、上記のようにして得られた１本の睫毛２の平均面積を８ピクセルで除算する。これにより、１本の睫毛２の平均幅（太さ）が求められる。この際、必要に応じて単位換算を行なうことにより、ミリメートル単位とする処理を加えてもよい。
【００４２】
尚、以下の説明において、顧客１の睫毛状態を示す情報となる、ステップ２２で求められた睫毛２の全面積、ステップ２４で求められた睫毛２の本数、およびステップ２５で求められた１本の睫毛２の平均幅を、素睫毛測定情報というものとする。
【００４３】
上記のようにステップ２０〜ステップ２５において素睫毛測定情報が求められると、続くステップ２６では素睫毛測定情報に基づき顧客１の睫毛２に対し分類処理を実施する。この分類処理は、素睫毛測定情報に含まれる情報を統一して体系化した、図７に示すようなマップを用いて実施する。マップは、体系を構成する、全面積、本数等の複数の分類項目（項目）からなるリストである。
【００４４】
具体的には、ステップ２２で求められた睫毛２の全面積においては、面積が所定の値Ｓを基準として、顧客１の睫毛２の全面積が面積Ｓ未満である場合には「うすい」と分類する。逆に、顧客１の睫毛２の全面積が面積Ｓ以上である場合には「こい」と分類する。
【００４５】
同様に、ステップ２４で求められる睫毛２の本数については、顧客１の睫毛２の本数がＮ本未満である場合には「少ない」と分類し、逆に顧客１の睫毛２の本数がＮ本以上である場合には「多い」と分類する。このようにして、素睫毛測定情報に含まれる各情報項目について分類処理を実施する。
【００４６】
尚、図７に示す例では、単にしきい値となる値を各項目について一つのみ定め、これより大きいか小さいかでのみ分類を行なう構成としたが、分類の方法はこれに限定されるものではなく、更に詳細に分類を行なう構成としてもよい。
【００４７】
上記の睫毛２の分類処理が終了すると、続くステップ２７では素睫毛測定情報にステップ２６で求められた分類情報を付与した上で記憶装置１４の個人情報ＤＢ１４Ｃにこの情報を格納し、またステップ２８において表示装置１３に顧客１の睫毛２の画像，素睫毛測定情報，および分類を表示する。以上の処理を実施することにより、図２のステップ１０の処理は終了する。
【００４８】
なお、第１実施例では、上記ステップ１０において、カメラからの入力画像を画像処理する計測機器を用いたが、これに限らず、熟練者が、視感による官能評価で睫毛状態を測定してもよい。
【００４９】
ステップ１０の処理が終了すると、続いてステップ１１において、顧客１が希望する睫毛状態の入力処理を行う（把握手順）。図４は、ステップ１１で実施される具体的な入力処理を示している。この図４に示す希望睫毛入力処理は、サブプログラムとして記憶装置１４に格納されており、ステップ１１の処理において呼び出され実行されるものである。
【００５０】
図４に示す希望睫毛入力処理が起動すると、先ずステップ３０において、顧客希望情報の入力処理を行う。ここで顧客希望情報とは、予めインタビューすることにより顧客１から聞き出した、顧客１が希望する睫毛状態（例えば、「自然な感じ」等）の情報である。
【００５１】
ステップ３０で顧客希望情報が入力されると、中央処理装置１１はサンプル情報ＤＢ１４Ｂから顧客希望情報に該当するサンプル画像を検索する。サンプル情報ＤＢ１４Ｂには、顧客希望情報として入力されると想定される各種項目（例えば、「自然な感じ」，「ボリューム感」，「かわいい」等）に対応した睫毛のイメージ画面が格納されている。よって、ステップ３１では、ステップ３０で入力された顧客１の顧客希望情報に基づき、この顧客希望情報に最も適合するイメージ画面をサンプル情報ＤＢ１４Ｂから検索する。
【００５２】
続くステップ３２では、ステップ３１で検索されたサンプル画像に基づき、図３のステップ２０で取り込んだ顧客１の睫毛２の画像を画像処理する。具体的には、顧客１の睫毛２の画像と、ステップ３１で検索されたサンプル画像とを合成処理し、これを表示装置１３に表示させる。これにより、顧客１は表示装置１３に表示された画像を見ることにより、自分が希望した睫毛状態であるか否かを視覚的に判断することが可能となる。
【００５３】
即ち、ステップ３０で入力される顧客希望情報は、あくまでも顧客１の想像に基づいたものであり、必ずしも顧客１の睫毛２に対する希望を客観的に表現しているとは限らない。しかしながら、ステップ３２を実施することにより、顧客１は表示装置１３に表示される画像を見ることにより、自分の希望する睫毛状態を客観的に判断することができる。
【００５４】
続くステップ３３では、表示装置１３に表示された画像が顧客１の希望に合うものであるかどうかの入力を行う。表示された画像が顧客１の希望するものではない場合（ＮＯの場合）には、処理はステップ３０に戻り、前記したステップ３０〜３３の処理を繰り返し実施する。ステップ３０〜３３の処理は、表示された画像が顧客１の希望するものとなるまで実施される。
【００５５】
そして、ステップ３３において、表示された画像が顧客１の希望するものであると顧客１が判断すると、処理はステップ３４に進み、顧客１が客観的に希望する睫毛の状態であると判断した顧客希望情報、および必要に応じて顧客の希望に合ったイメージ画像等が記憶装置１４に格納される。以上の処理を実施することにより、図２のステップ１１の処理は終了する。
【００５６】
ステップ１１の処理が終了すると、続いてステップ１２において、顧客希望情報に適合するマスカラの選定処理が実施される（選定手順）。図５は、ステップ１２で実施されるマスカラの選定処理の具体的な処理を示している。この図５に示すマスカラの選定処理もサブプログラムとして記憶装置１４に格納されており、ステップ１２の処理において呼び出され実行されるものである。
【００５７】
図５に示すマスカラの選定処理が起動すると、先ずステップ４０においてステップ２７（図３参照）で格納された顧客１の睫毛２の素睫毛測定情報を個人情報ＤＢ１４Ｃから読み出すと共に、ステップ３４（図４参照）で格納された顧客１の顧客希望情報等を記憶装置１４から読み出す。
【００５８】
続くステップ４１では、ステップ４０で読み出された素睫毛測定情報および顧客希望情報等に基づき、この各情報に適合したマスカラをマスカラ情報ＤＢ１４Ａから検索する。マスカラ情報ＤＢ１４Ａには、図８に示すように、図７の分類結果，マスカラ，および塗布後睫毛状態が関連付けられてマップとして格納されている。同図に示すマップより、例えば「うすい」に分類される睫毛に「マスカラＡ」を塗布した場合、塗布後の睫毛状態は「自然」な感じに仕上がることが判る。
【００５９】
ステップ４１では、先ず中央処理装置１１はステップ４０で読み出された素睫毛測定情報に添付されている分類から、図８のマップの分類（分類結果）を特定する。続いて、中央処理装置１１は顧客希望情報と一致或いは類似する塗布後睫毛状態を検索し、この検索された塗布後睫毛状態と対応したマスカラを特定する。
【００６０】
具体的には、素睫毛測定情報に添付されている分類から顧客１の睫毛２が「うすい」に分類されており、顧客希望情報が「落ち着いた」であった場合、中央処理装置１１は図８に示すマップの分類の項より「うすい」を特定する。続いて、中央処理装置１１は図８に示すマップの塗布後睫毛状態の項に「落ち着いた」が存在するかどうかを検索する。
【００６１】
図８に示すマップの塗布後睫毛状態の項には、「落ち着いた」が存在するため、続いて中央処理装置１１は、マスカラの項より「落ち着いた」に対応するマスカラを選定する。よって、上記した例では、中央処理装置１１は「マスカラＣ」を選定する。このようにした選定されたマスカラは、顧客１の睫毛状態および顧客１の顧客希望情報に適合したものである。
【００６２】
上記のようにステップ４０，４１の処理により顧客１の睫毛状態および顧客１の顧客希望情報に適合したマスカラが選定されると、中央処理装置１１はこの検索結果を表示装置１３に表示する。以上の処理を実施することにより、図２のステップ１２の処理は終了する。
【００６３】
ステップ１２の処理が終了すると、続いてステップ１３において、選定されたマスカラを実際に顧客１に使用（塗布）してもらい、使用後の仕上がりの確認処理を行う（第２の測定手段）。図６は、ステップ１３で実施される使用後の仕上がり確認処理を示している。この図６に示すマスカラの選定処理もサブプログラムとして記憶装置１４に格納されており、ステップ１３の処理において呼び出され実行されるものである。
【００６４】
図６に示す処理が起動する前に、顧客１には予めステップ１２で選定されたマスカラを睫毛２に塗布してもらう。図１０は、マスカラを塗布した後の睫毛２の一例を示す図である。この顧客１の睫毛２に対するマスカラの塗布が終了すると、この睫毛２に対する定量的測定が実施される。
【００６５】
図６に示すマスカラ塗布後の睫毛２の定量的測定は、ステップ１０で実施したマスカラ塗布前の睫毛２の定量的測定と略同一の方法で実施される。即ち、図６に示すステップ５０〜ステップ５５の処理は、図３におけるステップ２０〜ステップ２５の処理と同一である。このため、ステップ５０〜ステップ５５の処理の説明は省略する。
【００６６】
ステップ５６では、ステップ５０により撮像された顧客１の睫毛２の画像が表示装置１３に表示される。また、この睫毛画像と共に、ステップ５２で求められた睫毛２の全面積、ステップ５４で求められた塗布後における睫毛２の本数、およびステップ５５で求められた塗布後における１本の睫毛２の平均幅も合わせて表示装置１３に表示される。以上の処理を実施することにより、図２のステップ１３の処理は終了する。
【００６７】
上記のように第１実施例では、顧客１の睫毛２の状態を定量的に測定し，その測定結果に基づきマスカラの選定を行う。また、顧客１の希望する睫毛の状態（顧客希望情報）も、表示装置１３に表示される画像を見ながら決められるため、顧客希望情報も客観的なものとなる。
【００６８】
このため、客観的な睫毛２の測定結果および顧客希望情報に基づきマスカラを選定するため、顧客１の睫毛状態に適し、かつ顧客の希望する睫毛状態を実現できるマスカラを的確に選定することができる。更に、第１実施例では、選定されたマスカラを顧客１の睫毛２に塗布してもらい、塗布した後における顧１客の睫毛状態を定量的に測定する構成としている。このため、選定されたマスカラが顧客１の希望を実現しているかどうかを客観的に判断することができる。
【００６９】
また、第１実施例ではマスカラを塗布する前の顧客１の睫毛状態を既定の分類に分類すると共に、マスカラ情報ＤＢ１４Ａにはマスカラ毎に塗布前の睫毛状態（分類）と、塗布後睫毛状態とを関連付けたマスカラ情報を格納した構成としている。このため、ステップ１２において顧客１の希望に対応したマスカラを選定する際、容易かつ迅速に顧客の希望に対応したマスカラを選定することができる。
【００７０】
つぎに、上記第１の実施例の変形例について説明する。
【００７１】
変形例ではマスカラカウンセリングツールとして、図１２に示すマスカラカウンセリングシートを用いる。マスカラカウンセリングシートは、複数の素睫毛状態と、素睫毛状態ごとに複数の所定のマスカラを塗布したときの睫毛状態とをマップ表示したものである。なお、マスカラカウンセリングツールとして、マスカラカウンセリングシートに替えて、雑誌への掲載や、店頭でのＰＯＰ等の形態を用いることもできる。
【００７２】
素睫毛状態は、睫毛の「長い」・「短い」および「多い」・「少ない」で分類した。一方、マスカラ（マスカラの仕上がり）は、適当な条件で塗布することにより、睫毛が長く見えるもの（タイプ１）、豊かな睫毛に見えるもの（タイプ２）およびしっかりとしたカールが得られるもの（タイプ３）の３タイプのマスカラを選定した。
【００７３】
そして、上記睫毛状態および３タイプのマスカラを塗布した睫毛状態の組み合わせ条件ごとに正面および側面から見た睫毛状態の写真を示した。
【００７４】
変形例のマスカラ選定方法は、例えば第１の実施例と同様の手順を用いることにより、顧客の睫毛状態を測定する（第１の測定手順）。そして、マスカラカウンセリングシートを顧客に提示して、顧客の睫毛状態のポジションを示し、その睫毛状態のポジションにおいて示されているタイプ１〜タイプ３のマスカラを塗布した睫毛状態の写真の中から顧客が希望するタイプの写真を選択する（把握手順および選択手段）。これにより、顧客が希望するマスカラを選択することができる。さらに必要に応じて、第１の実施例と同様の手順を用いることにより、選定したマスカラを顧客の睫毛に塗布した後、塗布した後における顧客の睫毛状態を測定する（第２の測定手順）。
【００７５】
変形例によれば、把握手順および選択手段が簡易である。
【００７６】
つぎに、本発明の他の実施例（以下、第２実施例という。）について説明する。
【００７７】
第２実施例は、睫毛状態（素睫毛状態）ごとに、その睫毛状態に対して好適なマスカラを予め検討し、設定しておいたうえで、マスカラを選定するものである。
【００７８】
本発明者等は、睫毛状態（素睫毛状態）について、睫毛が、「長い」・「短い」および「多い」・「少ない」に分類した。一方、マスカラを塗布した睫毛状態について、適当な条件で塗布することにより、睫毛が長く見えるもの（タイプＡ）、しっかりとしたカールが得られるもの（タイプＢ）および豊かな睫毛に見えるもの（タイプＣ）の３タイプのマスカラを選定した。
【００７９】
そして、上記睫毛状態および３タイプのマスカラを塗布した睫毛状態の組み合わせ条件ごとに前記したカール角度（単位：°）を測定した。カール角度は、眼が水平方向を向いた状態における水平線と、カール状態の睫毛の生え際における接線とがなす角度である。カール角度は、睫毛のカール角度の最大値を用いた。このカール角度の値が大きい程、ナチュラルなぱっちりした眼に見えると判断される。
【００８０】
図１３に示すカール角度の測定結果より、睫毛が長く見えるもの（タイプＡ）のマスカラの群では、睫毛が短くて多い睫毛状態の人に当該マスカラを塗布したときが、また、しっかりとしたカールが得られるもの（タイプＢ）のマスカラの群では、睫毛が長くて多い睫毛状態の人に当該マスカラを塗布したときが、また、豊かな睫毛に見えるもの（タイプＣ）のマスカラの群では、睫毛が長くて少ない睫毛状態の人に当該マスカラを塗布したときが、それぞれ、他の睫毛状態の人に比べて最もカール角度が大きいことがわかる。
【００８１】
上記のカール角度の知見から、図１４に示す睫毛タイプ別マスカラマップを得ることができる。睫毛タイプ別マスカラマップは、睫毛状態に応じた好適な塗布後の睫毛状態を得ることができるマスカラを示す図である。図１４では、睫毛の「長い」・「短い」および「多い」・「少ない」で区分（分類）される４つの領域には、これらの睫毛状態（素睫毛状態）が一目でわかるように図示され、また、これらの各区分に、その区分の睫毛状態（素睫毛状態）においてカール角度を最も大きくすることができるマスカラの種類（ここでは、上記タイプＡからＣで表示。）が記載されているが、さらに好ましくは、そのマスカラを塗布することによりどのようなイメージの睫毛状態を得ることができるのかを文言で付記する等しておく（図示せず。）。
【００８２】
第２の実施例のマスカラ選定方法は、顧客の睫毛状態を測定する第１の測定手順として、第１の実施例と同様の手順を用いることにより、あるいはより好適には熟練者の視感により睫毛状態を測定する。そして、マスカラを選定する選定手順として、上記の睫毛タイプ別マスカラマップを用いることにより、顧客の睫毛状態に応じたマスカラを選定する。これにより、簡易な方法で、顧客の睫毛状態に適し、顧客が満足を得ることができる睫毛状態を実現できる。
【図面の簡単な説明】
【００８３】
図１は、本発明の一実施例であるマスカラの選定システムの構成図である。
【００８４】
図２は、マスカラの選定処理を行うメインプログラムを示すフローチャートである。
【００８５】
図３は、塗布前における睫毛状態の測定処理を示すフローチャートである。
【００８６】
図４は、顧客希望情報の入力処理を示すフローチャートである。
【００８７】
図５は、マスカラの選定処理を示すフローチャートである。
【００８８】
図６は、塗布後における睫毛状態の測定処理を示すフローチャートである。
【００８９】
図７は、マスカラを塗布する前の睫毛状態の分類を説明するための図である。
【００９０】
図８は、マスカラの選定処理を説明するための図である。
【００９１】
図９は、マスカラ塗布前の睫毛の一例を示す図である。
【００９２】
図１０は、マスカラ塗布後の睫毛の一例を示す図である。
【００９３】
図１１は、マスカラの選定方法における、睫毛状態の具体的な測定方法を説明するための図である。
【００９４】
図１２は、素睫毛状態ごとに複数の所定のマスカラを塗布したときの睫毛状態をマップ表示したマスカラカウンセリングシートである。
【００９５】
図１３は、カール角度の測定結果を示すグラフ図である。
【００９６】
図１４は、睫毛状態に応じた好適な塗布後の睫毛状態を得ることができるマスカラを示す睫毛タイプ別マスカラマップである。
【図１】
0003857648.tif 000002
【図２】
0003857648.tif 000003
【図３】
0003857648.tif 000004
【図４】
0003857648.tif 000005
【図５】
0003857648.tif 000006
【図６】
0003857648.tif 000007
【図７】
0003857648.tif 000008
【図８】
0003857648.tif 000009
【図９】
0003857648.tif 000010
【図１０】
0003857648.tif 000011
【図１１】
0003857648.tif 000012
【図１２】
0003857648.tif 000013
【図１３】
0003857648.tif 000014
【図１４】
0003857648.tif 000015